(57)【特許請求の範囲】
【請求項１】
自動データ処理システムにより行われる、メディアの広告を動的にスクリーニングする方法であって、
モニタリングユニットが、前記メディアの広告規則、および前記広告規則に従っている広告対象のうち、少なくとも一方の情報をモニタリングして、検出時点で前記広告規則および／または前記広告対象に何らかの変更が行われているか否かを判定し、
スクリーニングユニットが、前記広告規則および／または前記広告対象に変更が行われていることを前記モニタリングの結果が示す場合、前記検出時点に提示された前記広告対象の情報を再検討し、
前記スクリーニングユニットが、前記検出時点に提示された前記広告対象が、前記検出時点に提示された前記広告規則に従わないことを前記再検討の結果が示す場合、前記メディア上の広告について前記広告対象を不適格とみなす、
方法。
【請求項２】
前記スクリーニングユニットの第１の審査モジュールが、前記広告対象の情報が変更されたとき、前記広告対象に対応する、前記メディアの前記広告規則に基づき、前記検出時点に前記結果としてもたらされる広告対象の情報を審査し、
前記スクリーニングユニットの第２の審査モジュールが、前記メディアの前記広告規則が変更されたとき、前記メディアの前記結果としてもたらされる広告規則に対応する、前記検出時点に提示された前記広告対象の情報を審査する、
請求項１に記載の方法。
【請求項３】
前記第１の審査モジュールの第１の抽出サブモジュールは、前記検出時点に前記結果としてもたらされる広告対象の前記情報に対応する、前記メディアの前記広告規則を抽出し、
前記第１の審査モジュールの第１の検査サブモジュールは、前記結果としてもたらされる広告対象の前記情報が、前記メディアの前記対応する広告規則に従っているか否かを検査する、
請求項２に記載の方法。
【請求項４】
前記第２の審査モジュールの第２の抽出サブモジュールは、前記検出時点に提示され、前記メディアの前記結果としてもたらされる広告規則に対応する前記広告対象の情報を抽出し、
前記第２の審査モジュールの第２の検査サブモジュールは、前記検出時点に提示された前記広告対象の前記情報が、前記メディアの前記結果としてもたらされる広告規則に従っているか否かを検査する、
請求項２に記載の方法。
【請求項５】
前記モニタリングユニットは、データ検出に基づいてモニタリングを実行する請求項１に記載の方法。
【請求項６】
前記モニタリングユニットは、タイミング検出に基づいてさらにモニタリングを実行する請求項５に記載の方法。
【請求項７】
前記モニタリングユニットは、タイミング検出に基づいてモニタリングを実行する請求項１に記載の方法。
【請求項８】
メディアの広告を動的にスクリーニングするシステムであって、
前記メディアの広告規則、および前記広告規則に従っている広告対象のうち、少なくとも一方の情報をモニタリングして、検出時点で前記広告規則および／または前記広告対象に何らかの変更が行われているか否かを判定するモニタリングユニットと、
前記広告規則および／または前記広告対象に変更が行われていることを前記モニタリングの結果が示す場合、前記検出時点に提示された前記広告対象の情報を再検討し、前記検出時点に提示された前記広告対象が、前記検出時点に提示された前記広告規則に従わないことを前記再検討の結果が示す場合、前記メディア上の広告について前記広告対象を不適格とみなすスクリーニングユニットと、
を備えるシステム。
【請求項９】
前記スクリーニングユニットは、
前記広告対象の情報が変更されたとき、前記広告対象に対応する、前記メディアの前記広告規則に基づき、前記検出時点に前記結果としてもたらされる広告対象の情報を審査する第１の審査モジュールと、
前記メディアの前記広告規則が変更されたとき、前記メディアの前記結果としてもたらされる広告規則に対応する、前記検出時点に提示された前記広告対象の情報を審査する第２の審査モジュールと、
を含む請求項８に記載のシステム。
【請求項１０】
前記第１の審査モジュールは、
前記検出時点に前記結果としてもたらされる広告対象の前記情報に対応する、前記メディアの前記広告規則を抽出する第１の抽出サブモジュールと、
前記結果としてもたらされる広告対象の前記情報が、前記メディアの前記対応する広告規則に従っているか否かを検査し、前記結果としてもたらされる広告対象が、前記検出時点に前記メディアの前記対応する広告規則に従わない場合、前記メディア上の広告について、前記結果としてもたらされる広告対象を不適格とみなす第１の検査サブモジュールと、
を含む請求項９に記載のシステム。
【請求項１１】
前記第２の審査モジュールは、
前記検出時点に提示され、前記メディアの前記結果としてもたらされる広告規則に対応する前記広告対象の情報を抽出する第２の抽出サブモジュールと、
前記検出時点に提示された前記広告対象の前記情報が、前記メディアの前記結果としてもたらされる広告規則に従っているか否かを検査し、前記検出時点に提示された前記広告対象が、前記メディアの前記結果としてもたらされる広告規則に従わない場合、前記メディア上の広告について前記検出時点に提示された前記広告対象を不適格とみなす第２の検査サブモジュールと、
を含む、請求項９に記載のシステム。
【請求項１２】
前記モニタリングユニットは、前記メディアの前記広告規則、および前記広告規則に従っている前記広告対象のうち、少なくとも一方をモニタリングし、何らかの変更が行われたか否かをデータ検出に基づいて判定する、請求項８に記載のシステム。
【請求項１３】
前記モニタリングユニットは、前記メディアの前記広告規則、および前記広告規則に従っている前記広告対象のうち、少なくとも一方をモニタリングし、タイミング検出にさらに基づいて、何らかの変更が行われたか否かを判定する、請求項１２に記載のシステム。
【請求項１４】
前記モニタリングユニットは、前記メディアの前記広告規則、および前記広告規則に従っている前記広告対象のうち、少なくとも一方をモニタリングし、タイミング検出に基づいて、何らかの変更が行われたか否かを判定する、請求項８に記載のシステム。
【発明の詳細な説明】
【技術分野】
【０００１】
本発明は、電子商取引技術分野に関し、より詳細には、電子商取引技術分野に適用可能な、広告を動的にスクリーニングする方法およびシステムに関する。
【背景技術】
【０００２】
グローバル化という一般的傾向のために、情報サービス産業が２１世紀の主要な産業になり、電子商取引の出現および進展を直接的または間接的に促進する。情報サービス産業を絶え間なく向上および改善することにより、さまざまな電子商取引プラットフォームを通して人々がオンラインショッピングを行うことが一般的になっている。一方、ネットワーク販売のために電子商取引プラットフォームで掲示される広告もまた販売者を促進する普通の方法になった。販売者が広告宣伝活動に参加したいとき、商品または小売店自体の情報が提供される必要がある。その後、販売者トリガシステムによって、登録された商品または小売店が、販売促進活動の要件に従っているか否かを検査される。販売促進活動の要件と整合性のある、登録された商品または小売店は、首尾よく登録されたとみなされ、次いで、手作業でさらに審査される。審査に首尾よく合格した後、小売店または商品は、広告宣伝活動で示されてもよい。
【０００３】
従来技術により提供される技術的解決策を再検討すると、技術的問題が見つかる。実際には、登録された商品または小売店の情報が、販売促進活動のための審査に合格した後に変更されることがあり、商品または小売店の情報が、販売促進活動の要件にもはや従わなくなる。一方、販売促進活動の要件が変更され、商品または小売店の情報が販売促進活動の要件をもはや満たさないこともまた起こり得る。しかしながら、既存のプログラムは、変更を認めることができないので、実際には要件と整合性のない一部の商品または小売店が、広告宣伝活動で不適切に示される。要約すると、既存の広告をスクリーニングするための規制機構が存在しないために、不適格とみなされる商品または小売店が販売促進活動で不適切に広告されることがある。
【発明の概要】
【発明が解決しようとする課題】
【０００４】
本発明は、モニタリング機構が存在しないために、不適切な広告対象をメディア上に示すという問題を解決するために、メディア上の広告を動的にスクリーニングする機構を提供する。
【課題を解決するための手段】
【０００５】
一態様では、本発明は、メディアの広告規則、および広告規則に従う広告対象のうち、少なくとも一方の情報をモニタリングして、検出時点で広告規則および／または広告対象に何らかの変更が行われているか否かを判定するステップと、広告規則および／または広告対象に変更が行われたことをモニタリングの結果が示す場合、検出時点に提示された広告対象の情報を再検討するステップと、検出時点に提示された広告対象が、検出時点に提示された広告規則に従わないことを再検討の結果が示す場合、メディア上の広告について広告対象を不適格とみなすステップと、を備える、自動データ処理システムにより行われる、メディア上の広告を動的にスクリーニングする方法を提供する。
【０００６】
他の態様では、本発明は、モニタリングユニットおよびスクリーニングユニットを含む、メディア上の広告を動的にスクリーニングするシステムを提供する。モニタリングユニットは、メディアの広告規則、および広告規則に従っている広告対象のうち、少なくとも一方の情報をモニタリングして、検出時点で広告規則および／または広告対象に何らかの変更が行われているか否かを判定する。スクリーニングユニットは、広告規則および／または広告対象に変更が行われていることをモニタリングの結果が示す場合、検出時点に提示された広告対象の情報を再検討し、検出時点に提示された広告対象が、検出時点に提示された広告規則に従わないことを再検討の結果が示す場合、メディア上の広告について広告対象を不適格とみなす。
【０００７】
本発明の一実施形態では、広告対象および広告規則のうち一方または両方がモニタされ、広告対象の変更および／または広告規則の変更により、広告対象の再検討がトリガされる。
【発明の効果】
【０００８】
したがって、不適切になった広告対象をふるい落とすことができ、広告対象（複数可）が、メディアの広告規則（複数可）に従っている広告対象（複数可）であることが保証される。
【図面の簡単な説明】
【０００９】
【図１】本発明の第１の実施形態に係る広告を動的にスクリーニングする方法のフローチャートである。
【図２】本発明の第２の実施形態に係る広告を動的にスクリーニングする方法のフローチャートである。
【図３】本発明の第３の実施形態に係る広告を動的にスクリーニングする方法のフローチャートである。
【図４】本発明の第４の実施形態に係る広告を動的にスクリーニングするシステムを示す概略構造図である。
【図５】本発明の第５の実施形態に係る広告を動的にスクリーニングするシステムを示す概略構造図である。
【発明を実施するための形態】
【００１０】
本発明の実施形態をより明確に説明するために、実施形態を説明するために必要な添付図面が、簡潔に導入される。添付図面は、本発明の実施形態の一部を例示するためだけに使用され、当業者には、さらなる発明努力なしに、その他の図面を認識することができることが明らかである。
【００１１】
本発明の目的、技術的手段および利点をより明確な方法で例示するために、本発明について、図面および実施形態を参照して説明する。実施形態は、本発明を限定するためではなく、本発明を例示するために使用されることを理解されたい。
【００１２】
本発明の一実施形態では、広告対象、例えば商品にまたは小売店に関連する対象の情報が変更された場合、情報がメディアの販売促進活動の要件に依然として従っているか否かを判定するために、更新された情報が、自動データ処理システムにより自動的に抽出され、再検討される。判定が肯定的である場合、広告対象の広告状態が、変更されず維持される。判定が否定的である場合、システムは、得られた広告対象が適格ではないと判定し、それにより、広告をスクリーニングする。一方、変更されたのがメディアの広告規則である場合、いくつかの広告対象の状態が、メディアの更新された広告規則に従って、適格な状態から不適格な状態に変更されてもよい。
【００１３】
本発明の一実施形態により提供される、メディア上の広告を動的にスクリーニングする方法は、メディアの広告規則、および広告規則に従っている広告対象のうち、少なくとも一方の情報をモニタリングして、検出時点で広告規則および／または広告対象に何らかの変更が行われているか否かを判定するステップと、広告規則および／または広告対象に変更が行われていることをモニタリングの結果が示す場合、検出時点に提示された広告対象の情報を再検討するステップと、検出時点に提示された広告対象が、検出時点に提示された広告規則に従わないことを再検討の結果が示す場合、メディア上の広告について広告対象を不適格とみなすステップと、を含む。
【００１４】
さらに、本発明の一実施形態により提供される、メディア上の広告を動的にスクリーニングするシステムは、メディアの広告規則、および広告規則に従っている広告対象のうち、少なくとも一方の情報をモニタリングして、検出時点で広告規則および／または広告対象に何らかの変更が行われているか否かを判定するモニタリングユニットと、広告規則および／または広告対象に変更が行われていることをモニタリングの結果が示す場合、検出時点に提示された広告対象の情報を再検討し、検出時点に提示された広告対象が、検出時点に提示された広告規則に従わないことを再検討の結果が示す場合、メディア上の広告について広告対象を不適格とみなすスクリーニングユニットと、を含む。
【００１５】
以下、本発明を実施するために実現可能なさまざまな実施形態を例示する。
「実施形態１」
【００１６】
販売者の小売店または商品が、メディアの指定された広告規則に従っているために、首尾よく登録され、メディア上に示された場合、登録された販売者の小売店または商品は、この実施形態では、顧客に正しい情報を常に提供するために、依然としてモニタリングを受ける。モニタされる任意の広告対象、および／またはメディアの広告規則が変更されたとき、広告対象は、依然として適格であるか否かを確かめるために、再検査される。この実施形態で使用される方法について、図１のフローチャートに要約し、以下、説明する。
【００１７】
ステップＳ１０１で、検出時点で広告対象および／または広告規則に何らかの変更が行われているか否か判定するために、広告対象、および／またはメディアの広告規則のうち、少なくとも一方の情報をモニタリングする。
【００１８】
この実施形態では、首尾よく登録された広告対象の情報を、何らかの変更があるか否かを確かめるために検査する。
【００１９】
この実施形態では、広告対象は、商品に関連する対象または小売店に関連する対象であってもよい。広告対象が小売店に関連する対象である一例では、広告対象の情報は、小売店の信用格付け、小売店の場所、小売店の称賛率（ｐｒａｉｓｅ  ｒａｔｅ）、注文率と支払い率との変換比率、取引量、出荷スコア、商品の説明の正確さなどを含んでもよいが、これらに限定されない。一方、広告対象が商品に関連する対象である場合広告対象の情報は、商品の価格、商品の割引率、商品の場所、カタログなどを含んでもよいが、これらに限定されない。
【００２０】
この実施形態では、広告規則は、広告対象が示されるべきメディアにより必要とされる条件と関係がある。広告対象が小売店に関連する対象である一例では、広告規則は、小売店の最小信用格付け、指定されたエリア内の小売店の場所、小売店の最小称賛率などを含んでもよいが、これらに限定されない。一方、広告対象が商品に関連する対象である場合、広告規則は、事前設定された範囲内の価格、指定された割引率などを含んでもよいが、これらに限定されない。
【００２１】
所望により、ステップ１０１は、何らかの変更が行われたか否かを判定するために、リアルタイムで実行されてもよい。このモニタリング機構は、データ検出に基づく。すなわち広告対象または広告規則が検出時点で変更されているとき、情報変更メッセージが生成され、システムにより認識される。したがって、広告対象の、日付のない情報を、同じ広告規則に基づき、適時に再検討することができる、または広告対象の情報を、最新情報がメディア上に示されることを保証するために、更新された広告規則に基づき適時に再検討することができる。変更を伴う広告対象を再検討することに加えて、メディア上に示される広告対象を一部または全て再検討することもまた実現可能である。
【００２２】
代替的にまたは追加で、ステップ１０１は、何らかの変更が行われたか否かを判定するために、特定の時点で実行されてもよい。このモニタリング機構は、タイミング検出に基づく。広告対象（複数可）および広告規則（複数可）を、何らかの変更が行われているか否かを確かめるために、定期的にスキャンする。検出時点で変更があると判定されたとき、広告対象の、日付のない情報を、同じ広告規則に基づき再検討する、または広告対象の情報を、広告対象が最新の広告規則に従っていることを保証するために、更新された広告規則に基づき再検討する。変更を伴う広告対象を再検討することに加えて、メディア上に示される広告対象を一部または全て再検討することもまた実現可能である。
【００２３】
ステップ１０２で、変更が行われたことをモニタリングの結果が示す場合、検出時点に提示された広告対象の情報を再検討し、検出時点に提示された広告対象が、検出時点に提示された広告規則に従わないことを再検討の結果が示す場合、メディア上の広告について広告対象を不適格とみなす。
【００２４】
この実施形態では、変更が行われたことをモニタリングの結果が示す場合、広告対象の情報を再検討し、それにより、広告規則に従わない任意の広告対象を自動的にふるい落とす。本発明によって、広告対象の情報を任意に変更することに起因する問題、および新しい広告規則と整合性のない広告対象を不適切に掲示することに起因する問題を防止することができる。
「実施形態２」
【００２５】
以下、図２のフローチャートを参照して、本発明の第２の実施形態について説明する。
【００２６】
ステップ２０１で、検出時点で広告対象および／または広告規則に何らかの変更が行われたか否か判定するために、広告対象、および／またはメディアの広告規則のうち、少なくとも一方の情報をモニタリングする。広告対象に変更が行われている場合、ステップ２０２を実行する。一方、広告規則に変更が行われている場合、ステップ２０３を実行する。
【００２７】
ステップＳ２０２で、結果としてもたらされる広告対象の情報を、対応する広告規則に基づき再検討する。
【００２８】
ステップＳ２０３で、検出時点に提示され、結果としてもたらされる広告規則に対応する広告対象の情報を再検討する。
【００２９】
この実施形態では、変更されたのが広告対象の情報であるとき、日付のない広告対象の情報を、同じ広告規則に基づいて再検討することができ、それにより、広告規則と整合性のなくなる広告対象をふるい落とす。一方、変更されたのがメディアの広告規則であるとき、新しい広告規則と整合性のなくなる広告対象をふるい落とすために、更新された広告規則に基づいて広告対象の情報、または複数の広告対象の一部もしくは全ての情報を審査する。その結果として手作業による手法ではなく自動的な手法で、広告対象（複数可）が最新の広告規則に従っていることを保証することができる。
「実施形態３」
【００３０】
以下、図３のフローチャートを参照して、本発明の第３の実施形態について説明する。
【００３１】
ステップ３０１で、検出時点に広告対象および／または広告規則に何らかの変更が行われたか否か判定するために、広告対象、および／またはメディアの広告規則のうち、少なくとも一方の情報をモニタリングする。広告対象に変更が行われている場合、ステップ３０２を実行する。一方、広告規則に変更が行われている場合、ステップ３０４を実行する。
【００３２】
ステップ３０２で、検出時点に結果としてもたらされる広告対象に対応する広告規則を抽出する。
【００３３】
この実施形態では、本発明は、ステップ３０２の前に、首尾よく登録された広告対象が、何らかの広告材料を掲示したか否かを識別するステップをさらに含んでもよい。識別が否定的である場合、首尾よく登録されたがメディア上に広告材料を何も掲示していない広告対象について、ステップ３０２および３０３を省略することができる。したがって、システムの負荷を軽減することができる。
【００３４】
Ｓ３０３で、変更された広告対象の情報が、抽出された広告規則に従っているか否かを識別する。識別が肯定的である場合、ステップ３０６に進む、すなわち、広告対象は審査に合格する。対照的に、識別が否定的である場合、ステップ３０７に進む、すなわち、広告対象は審査に不合格になる。
【００３５】
ステップ３０４で、検出時点に提示され、新しい広告規則に対応する、広告対象の情報を抽出する。
【００３６】
この実施形態では、さまざまな広告対象が同じ広告規則に対応してもよい。例えば、Ｔｅｎｃｅｎｔ  Ｓｔｏｒｅ  Ｅｘｐｒｅｓｓでは、同じ商店が複数の広告スペースを有することができ、各広告スペースは特定の広告規則に対応する。さらに、同じ広告スペース上に異なる登録された広告を示してもよい。したがって、広告規則を変更したとき、新しい広告規則に対応する関連する広告対象（複数可）の情報が抽出される。
【００３７】
Ｓ３０５で、抽出された広告対象の情報が、変更された広告規則に従っているか否かを判定する。判定が肯定的である場合、ステップ３０８に進む、すなわち広告対象は審査に合格する。対照的に、判定が否定的である場合、ステップ３０９に進む、すなわち広告対象は審査に不合格になる。
【００３８】
この実施形態では、広告対象の情報が変更されたとき、変更された広告対象が広告規則に従っているか否かを識別することにより、広告対象が審査に合格するか否かを判定する。一方、メディアの広告規則が変更されたとき、広告規則に対応する広告対象が、変更された広告規則に従っているか否かを識別することにより、広告対象が審査に合格するか否かを判定する。審査に不合格の広告対象は、メディア上の広告について不適格であるとみなされ、撤回または改訂を求められるべきである。したがって、広告対象（複数可）が最新の広告規則に従っていることを、自動的に保証することができる。
「実施形態４」
【００３９】
第４の実施形態に係るメディア上の広告を動的にスクリーニングするシステムの概略構成図を図４に示す。
【００４０】
この実施形態では、システムは、モニタリングユニット４１およびスクリーニングユニット４２を含む。モニタリングユニット４１は、メディアの広告規則、および広告規則に従っている広告対象のうち、少なくとも一方の情報をモニタリングして、検出時点で広告規則および／または広告対象に何らかの変更が行われているか否かを判定する。スクリーニングユニット４２は、広告規則および／または広告対象に変更が行われていることをモニタリングの結果が示す場合、検出時点に提示された広告対象の情報を再検討し、検出時点に提示された広告対象が、検出時点に提示された広告規則に従わないことを再検討の結果が示す場合、メディア上の広告について広告対象を不適格とみなす。
【００４１】
本発明のこの実施形態による、メディア上の広告を動的にスクリーニングするシステムを、実施形態１の方法と共に使用することができる。詳細な説明を認識するために、上記を参照されたい。
【００４２】
この実施形態では、広告対象、および／またはメディアの広告規則の情報をモニタリングした後に変更が行われているとシステムが判定した場合、広告対象を再検討する必要がある。この手法では、広告規則と整合しなくなる任意の広告対象が不適格とみなされ、自動的にふるい落とされる。本発明によって、広告対象の情報を任意に変更することに起因する問題、および新しい広告規則と整合性のない広告対象を不適切に掲示することに起因する問題を防止することができる。審査に不合格の広告対象は、メディア上の広告について不適格であるとみなされ、撤回または改訂を求められるべきである。
「実施形態５」
【００４３】
第５の実施形態に係るメディア上の広告を動的にスクリーニングするシステムの概略構成図を図５に示す。
【００４４】
この実施形態では、システムは、モニタリングユニット５１およびスクリーニングユニット５２を含む。モニタリングユニット５１は、メディアの広告規則、および広告規則に従っている広告対象のうち、少なくとも一方の情報をモニタリングして、検出時点で広告規則および／または広告対象に何らかの変更が行われているか否かを判定する。スクリーニングユニット５２は、広告規則および／または広告対象に変更が行われていることをモニタリングの結果が示す場合、検出時点に提示された広告対象の情報を再検討し、検出時点に提示された広告対象が、検出時点に提示された広告規則に従わないことを再検討の結果が示す場合、メディア上の広告について広告対象を不適格とみなす。
【００４５】
この実施形態が上述の第４の実施形態と異なるのは、何らかの変更が行われたか否かを判定するために、広告対象、および／またはメディアの広告規則の情報をリアルタイムでモニタリングすることができること、ならびに／または何らかの変更が行われたか否かを判定するために、少なくとも１つの広告対象、およびメディアの少なくとも１つの広告規則の情報を特定の時点にモニタリングすることができることである。
【００４６】
所望により、審査ユニット５２は、第１の審査モジュール５２１および第２の審査モジュール５２２を含んでもよい。第１の審査モジュール５２１は、検出時点で広告対象の情報が変更されていたとき、広告対象に対応する、メディアの広告規則に基づき、変更された広告対象の情報を審査し、第２の審査モジュールは、検出時点でメディアの広告規則が変更されていたとき、メディアの変更された広告規則に対応する広告対象の情報を審査する。
【００４７】
所望により、第１の審査モジュール５２１は、第１の抽出サブモジュール５２１１および第１の検査サブモジュール５２１２を含んでもよい。第１の抽出サブモジュールは、変更された広告対象の情報に対応するメディアの広告規則を抽出するために使用され、第１の検査サブモジュールは、変更された広告対象の情報がメディアの抽出された広告規則に従っているか否かを検査するために使用され、メディアの抽出された広告規則に従っている、変更された広告対象は、審査に合格したと判定され、メディアの抽出された広告規則に従わない、変更された広告対象は、審査に不合格になったと判定され、それにより、不適格の広告をスクリーニングする。メディア上の広告について審査に不合格の、不適格とみなされた広告対象は、撤回または改訂を求められるべきである。
【００４８】
所望により、第２の審査モジュール５２２は、第１の抽出サブモジュール５２２１および第１の検査サブモジュール５２２２を含んでもよい。第２の抽出サブモジュール５２２１は、メディアの変更された広告規則に対応する少なくとも１つの広告対象の情報を抽出するために使用され、第２の検査サブモジュール５２２２は、それぞれの抽出された広告対象の情報がメディアの変更された広告規則に従っているか否かを検査するために使用され、メディアの変更された広告規則に従っている、それぞれの抽出された広告対象は、審査に合格したと判定され、メディアの変更された広告規則に従わない、それぞれの抽出された広告対象は、審査に不合格になったと判定される。審査に不合格の広告対象は、メディア上の広告について不適格であるとみなされ、撤回または改訂を求められるべきである。
【００４９】
本発明のこの実施形態による、メディア上の広告をスクリーニングするシステムを、実施形態２および実施形態３の方法と共に使用することができる。詳細な説明を認識するために、上記を参照されたい。
【００５０】
上述の実施形態では、全てのユニットおよびモジュールを、機能に基づき例示的に分類したことに留意されたい。対応する機能を達成することができるかぎり、ユニットおよびモジュールの分類をこの手法に限定するものではない。さらに、機能ユニットは、明確に識別されることができるように、それぞれ名付けられる。本発明の範囲は、上記の分類に限定されない。
【００５１】
当業者には、上述のさまざまな実施形態のステップの全てまたは一部を、該当するハードウェアにプログラムが指示することにより実行することができ、対応するプログラムを、コンピュータ可読記憶媒体に記憶することができることが理解される。いわゆる記憶媒体は、例えばＲＯＭ／ＲＡＭ、ディスクまたは光ディスクなどであってよい。
【００５２】
上述したことは、本発明を限定するために使用されるのではなく、単に、本発明による好ましい実施形態である。別の見方をすれば、添付の特許請求の範囲の精神および範囲に含まれるさまざまな修正形態および類似の構成をカバーすることが意図され、添付の特許請求の範囲は、このような修正形態および類似の構造を全て包含するように最も広い解釈と一致すべきである。
【図１】
0005809353.tif 000002
【図２】
0005809353.tif 000003
【図３】
0005809353.tif 000004
【図４】
0005809353.tif 000005
【図５】
0005809353.tif 000006